(57)【要約】【課題】感度の異なる画素のヒストグラムを良好に表示し、これらヒストグラムを確実に参照して撮影する。【解決手段】入射した被写体光を受光して電気信号からなる画像信号に変換する受光素子を有する撮像部１２と、撮像部１２からの画像信号に各種補正処理を加えるデジタル信号処理部３２と、デジタル信号処理部３２にて補正処理が行われた画像信号に基づいて撮像した画像を表示する表示部３５とを設ける。撮像部１２の受光素子として、感度の異なる主領域と副領域とを有する複数の画素を備えたものを用いる。主領域及び副領域からの画像信号のヒストグラムを計算するヒストグラム計算処理部３８を設け、表示部３５に、ヒストグラム計算処理部３８にて算出された主領域及び副領域のそれぞれのヒストグラムのグラフを同時に表示可能とする。【選択図】      図１
2004297614.tif 000002
【特許請求の範囲】
【請求項１】
入射した被写体光を受光して電気信号に変換する受光素子を有する撮像部と、該撮像部からの電気信号に各種補正処理を加えて画像信号とする信号処理部と、該信号処理部にて補正処理が行われた画像信号に基づいて撮像した画像を表示する表示部とを有する撮像装置であって、
前記受光素子は、感度の異なる主領域と副領域とを有する複数の画素を備え、
これら主領域及び副領域からの画像信号に基づく度数分布を計算する度数分布計算処理部が設けられ、
前記表示部には、前記度数分布計算処理部にて算出された前記主領域及び副領域のそれぞれの度数分布が同時に表示可能とされていることを特徴とする撮像装置。
【請求項２】
前記表示部には、前記度数分布が、重ねて表示されることを特徴とする請求項１記載の撮像装置。
【請求項３】
前記表示部には、前記度数分布が、上下もしくは左右に並べてそれぞれ表示されることを特徴とする請求項１記載の撮像装置。
【請求項４】
前記表示部には、それぞれの前記度数分布を合成した度数分布が表示されることを特徴とする請求項１記載の撮像装置。
【請求項５】
前記表示部には、撮像した画像に重ねて前記度数分布が表示されることを特徴とする請求項１〜４のいずれか１項記載の撮像装置。
【請求項６】
入射した被写体光を受光して電気信号に変換して各種補正処理を加えて画像信号とし、この画像信号に基づいて撮像した画像を表示するとともに記憶する撮像装置における表示方法であって、
撮影した主領域と副領域とを有する複数画素の画像信号の度数分布を操作者の選択により前記主領域及び副領域のそれぞれについて計算する度数分布算出ステップと、算出したそれぞれの度数分布を表示部へ同時に表示させる度数分布表示ステップとを行うことを特徴とする撮像装置における表示方法。
【請求項７】
入射した被写体光を受光して電気信号に変換して各種補正処理を加えて画像信号とし、この画像信号に基づいて撮像した画像を表示するとともに記憶する撮像装置における表示方法であって、
記憶された主領域と副領域とを有する複数画素の画像信号を操作者の選択により引き出し前記主領域及び副領域のそれぞれについて計算する度数分布算出ステップと、算出したそれぞれの度数分布を表示部へ同時に表示させる度数分布表示ステップとを行うことを特徴とする撮像装置における表示方法。
【発明の詳細な説明】
【０００１】
【発明の属する技術分野】
本発明は、被写体を撮像素子上に結像させてその被写体を撮像した画像信号を取り込む撮影を行う撮像装置及びこの撮像装置における表示方法に関するものである。
【０００２】
【従来の技術】
近年、被写体を撮像素子上に結像させてその被写体を表す画像信号を取り込む撮影を行う撮像装置、いわゆるデジタルカメラが広く普及している。この撮像装置で用いられる撮像素子としては、電荷結像素子であるＣＣＤ（Ｃｈａｒｇｅ  Ｃｏｕｐｌｅｄ  Ｄｅｖｉｃｅ）撮像素子や、安価で低消費電力のＣＭＯＳ撮像センサ等が用いられている。
【０００３】
このようなデジタルカメラには、撮影した画像を表示する表示部が設けられており、撮像した画像や、デジタルカメラの設定値等の各種情報を表示可能に構成されている。。
また、この種のデジタルカメラでは、表示部に、画素の輝度レベルを表すヒストグラムを演算し、撮影画像とともに、その画像のヒストグラムを表示させるものがあり、この表示されたヒストグラムを参照して撮影者が露出の適否等を確認して撮影することができるようになっている（特許文献１、２参照）。
【０００４】
【特許文献１】
特開２００２−１１８７７２号公報
【０００５】
【特許文献２】
特開平７−３８８０１号公報
【０００６】
【発明が解決しようとする課題】
ところで、最近では、高感度信号と、その高感度信号よりも感度の低い低感度信号とを一度の撮像で取得し、ダイナミックレンジの拡大により高輝度における白飛びした部分のディテイル表現を豊かにすべく、感度の異なる主領域と副領域とを有する複数の画素を有する撮像素子が開発されている。
しかしながら、上記のような一つのヒストグラムを表示部に表示するものでは、感度の異なる主領域と副領域とを有する複数の画素を有する撮像素子を搭載したとしても、異なるレンジの二つのヒストグラムを別々に表示せざるを得ず、これら二つのヒストグラムを比較して参照することが困難であった。
【０００７】
この発明は、上記事情に鑑みてなされたもので、感度の異なる画素のヒストグラムを良好に表示し、これらヒストグラムを確実に参照して撮影することが可能な撮像装置及び撮像装置における表示方法を提供することを目的としている。
【０００８】
【課題を解決するための手段】
上記目的を達成するために、請求項１記載の撮像装置は、入射した被写体光を受光して電気信号に変換する受光素子を有する撮像部と、該撮像部からの電気信号に各種補正処理を加えて画像信号とする信号処理部と、該信号処理部にて補正処理が行われた画像信号に基づいて撮像した画像を表示する表示部とを有する撮像装置であって、前記受光素子は、感度の異なる主領域と副領域とを有する複数の画素を備え、これら主領域及び副領域からの画像信号に基づく度数分布を計算する度数分布計算処理部が設けられ、前記表示部には、前記度数分布計算処理部にて算出された前記主領域及び副領域のそれぞれの度数分布が同時に表示可能とされていることを特徴とする。
【０００９】
請求項１記載の撮像装置によれば、感度の異なる主領域及び副領域の画像信号に基づくそれぞれの度数分布が同時に表示されるので、操作者は、これら度数分布を容易に参照して撮影した画像の状態を把握することができる。そして、操作者は、表示されたそれぞれの度数分布から撮り直しや画像信号の補正処理を調整して画像を良好に修正することができる。
【００１０】
請求項２記載の撮像装置は、前記表示部に、前記度数分布が、重ねて表示されることを特徴とする。
請求項２記載の撮像装置によれば、重ねて表示されるそれぞれの度数分布を参照して、撮り直しや画像信号の補正処理の調整を容易に行うことができる。
【００１１】
請求項３記載の撮像装置は、前記表示部に、前記度数分布が、上下もしくは左右に並べてそれぞれ表示されることを特徴とする。
請求項３記載の撮像装置によれば、上下もしくは左右に並べてそれぞれ表示される度数分布を参照して、撮り直しや画像信号の補正処理の調整を容易に行うことができる。
【００１２】
請求項４記載の撮像装置は、前記表示部に、それぞれの前記度数分布を合成した度数分布が表示されることを特徴とする。
請求項４記載の撮像装置によれば、合成されて表示される度数分布を参照して、撮り直しや画像信号の補正処理の調整を容易に行うことができる。
【００１３】
請求項５記載の撮像装置は、前記表示部に、撮像した画像に重ねて前記度数分布が表示されることを特徴とする。
請求項５記載の撮像装置によれば、撮影した画像とともに、度数分布を参照することができるので、さらに、的確に撮影した画像の状態を把握して、撮り直しや画像信号の補正処理の調整を容易に行うことができる。
【００１４】
請求項６記載の撮像装置における表示方法は、入射した被写体光を受光して電気信号に変換して各種補正処理を加えて画像信号とし、この画像信号に基づいて撮像した画像を表示するとともに記憶する撮像装置における表示方法であって、撮影した主領域と副領域とを有する複数画素の画像信号の度数分布を操作者の選択により前記主領域及び副領域のそれぞれについて計算する度数分布算出ステップと、算出したそれぞれの度数分布を表示部へ同時に表示させる度数分布表示ステップとを行うことを特徴とする。
【００１５】
請求項６記載の撮像装置における表示方法によれば、操作者の選択により、撮影した画像信号に基づいて、その画像信号の主領域及び副領域のそれぞれについて度数分布が算出され、これら度数分布が表示部へ同時に表示させるので、操作者は、極めて容易に主領域及び副領域のそれぞれの度数分布を参照して、撮影した画像の状態を把握して、撮り直しや画像信号の補正処理の調整を行うことができる。
【００１６】
請求項７記載の撮像装置における表示方法は、入射した被写体光を受光して電気信号に変換して各種補正処理を加えて画像信号とし、この画像信号に基づいて撮像した画像を表示するとともに記憶する撮像装置における表示方法であって、記憶された主領域と副領域とを有する複数画素の画像信号を操作者の選択により引き出し前記主領域及び副領域のそれぞれについて計算する度数分布算出ステップと、算出したそれぞれの度数分布を表示部へ同時に表示させる度数分布表示ステップとを行うことを特徴とする。
【００１７】
請求項７記載の撮像装置における表示方法によれば、操作者の選択により、記憶された画像信号に基づいて、その画像信号の主領域及び副領域のそれぞれについて度数分布が算出され、これら度数分布が表示部へ同時に表示させるので、操作者は、極めて容易に主領域及び副領域のそれぞれの度数分布を参照して、撮影した画像の状態を把握して、画像信号の補正処理の調整を行うことができる。
【００１８】
【発明の実施の形態】
以下、本発明の実施形態の撮像装置及び撮像装置における表示方法について、図面を参照して説明する。
なお、ここでは、撮像装置として、静止画像を撮像するデジタルカメラを例にとって説明する。
図１は、デジタルカメラの構成を示す図である。デジタルカメラ１０は、レンズ１１を介して被写体からの光を集光し、集光面がレンズ１１の焦点位置に配置された撮像部１２によって光を受光する。撮像部１２は、それぞれ八角形形状を有する複数の受光素子を備えたハニカムＣＣＤで構成されている。各受光素子は、受光した光を受光量に応じて電気信号に変換し、得られた電気信号は、転送パルスに従い垂直転送路（ＶＣＣＤ）及び水平転送路（ＨＣＣＤ）を介して増幅器１３に出力される。
【００１９】
図２は、この撮像部１３の撮像素子である個体撮像素子の部分拡大平面図である。固体撮像素子は、いわゆるハニカム構造の固体撮像素子であって、半導体基板表面に行方向（矢印Ｘで示す方向）とこれに直交する列方向（矢印Ｙで示す方向）に配設された複数の受光素子２２（図では一部のみに番号を付してある）、垂直転送部２４、水平転送部２６、及び出力部２８を含む。複数の受光素子２２のうち奇数列のものは、偶数列のものに対して隣接する受光素子２２間の列方向ピッチの略１／２だけ列方向にずれており、また、奇数行の受光素子２２は、偶数行の受光素子２２に対して隣接する受光素子２２間の行方向ピッチの略１／２だけ行方向にずれて配置される。なお、図２では、５行８列の受光素子２２が示されているが、実際には、さらに多くの受光素子２２が設けられる。
【００２０】
受光素子２２は、入射光量に対応した信号電荷を発生し、蓄積するもので、例えばフォトダイオードである。受光素子２２の各々は、相対的に広い受光面積を有する主領域ｍと相対的に狭い受光面積を有する副領域ｓを有し、それぞれ所定の分光感度の光に対応する信号電荷を発生し、蓄積する。副領域ｓは、主領域ｍよりも受光感度が低く、蓄積される信号電荷の量も主領域ｍと比べて少ない。
【００２１】
固体撮像素子においては、赤（Ｒで示す）、緑（Ｇで示す）、又は青（Ｂで示す）のカラーフィルタ（図示せず）のいずれか一つが、それぞれの受光素子２２の上方に設けられている。ここで、同一受光素子２２内の主領域ｍと副領域ｓは、同一のカラーフィルタが設けられている。各受光素子２２の受光領域ｍ、ｓは、それぞれの色の光に対応する信号電荷を発生し、蓄積する。
【００２２】
垂直転送部２４は、受光素子２２からの信号電荷を読み出し、列方向に転送するものであり、受光素子２２の各列に対応してその側方に設けられる。垂直転送部２４は、主領域ｍの信号電荷と副領域ｓの信号電荷をそれぞれ独立に列方向に読み出し、水平転送部２６に転送する。水平転送部２６は、複数の垂直転送部２４からの信号電荷が転送され、転送された信号電荷を行方向に転送するものである。出力部２８は、水平転送部２６から転送された信号電荷量に応じた電圧信号を出力する。以下、複数の主領域ｍからの複数の電荷信号を基に作られた複数の電圧信号をまとめて高感度信号Ｈと、そして複数の副領域ｓからの複数の電荷信号を基に作られた複数の電圧信号を低感度信号Ｌと呼ぶこととする。
【００２３】
増幅器１３は、撮像部１２から送られた高感度信号Ｈ及び低感度信号Ｌの画像信号を所定の増幅率で増幅するアンプである。その後、電気信号はＡ／Ｄコンバータ１４により高感度デジタル信号Ｈａ及び低感度デジタル信号Ｌａのデジタル信号に変換され、バスライン３０に送られる。バスライン３０には、ＣＰＵ３１と、デジタル信号処理部３２と、圧縮処理部３３と、記録媒体制御器３４と、表示部３５と、ＲＡＭ３６と、モード設定部３７と、度数分布算出手段であるヒストグラム計算処理部３８とが接続されている。
【００２４】
デジタル信号処理部３２は、Ａ／Ｄコンバータ１４から送られたデジタル信号に各種補正処理を加える信号処理部であり、具体的には、ＣＰＵ３１からの指示に応じて、色毎の積算値を基に各色信号のデジタル値に所定の調整値をかけあわせるホワイトバランス調整、ホワイトバランス調整が行われたＲＧＢ信号が所望のガンマ特性となるよう入出力特性を変換するガンマ補正、輝度信号とクロマ信号を生成するＹＣ処理等を行い、デジタル画像信号を作成する。
【００２５】
図３は、デジタル信号処理部３２における処理の詳細を示すブロック図である。デジタル信号処理部３２は、ゲイン調整部４１と、階調補正部４２と、合成処理部４３と、ＹＣ処理部４４とを備えている。
【００２６】
ゲイン調整部４１は、ホワイトバランス調整等のデジタル信号のゲイン調整を行う乗算回路である。ホワイトバランス調整とは、白い被写体が白として撮像されるように、光源の発色（色温度）に応じてカラーバランスを補正する処理である。
【００２７】
階調補正部４２は、ゲイン調整後の高感度デジタル信号Ｈａ及び低感度デジタル信号Ｌａの階調を所定の係数を用いてそれぞれ独立に１２ｂｉｔから８ｂｉｔに階調補正する。この階調補正には、係数がマトリクス形状に並べられた高感度デジタル信号階調補正ＬＵＴと低感度デジタル信号階調補正ＬＵＴが用いられ、各デジタル信号は対応する階調補正用ＬＵＴを用いて演算処理される。階調補正後８ｂｉｔ階調の高感度デジタル信号Ｈｂと低感度デジタル信号Ｌｂは、合成処理部５５にて合成処理が施される。
【００２８】
合成処理部４３は、階調補正後の高感度デジタル信号Ｈｂと低感度デジタル信号Ｌｂを各Ｒ，Ｇ，Ｂ毎に合成し、Ｒ信号、Ｇ信号、Ｂ信号からなる合成デジタル信号Ｓを生成する。
ＹＣ処理部４４は、合成デジタル信号ＳのＲ信号、Ｇ信号、Ｂ信号から輝度信号Ｙとクロマ信号Ｃｒ、Ｃｂとを作成する回路で構成される。ＹＣ処理部４４は、生成した輝度信号Ｙとクロマ信号Ｃｒ、Ｃｂに対し、ノイズ低減等の各処理を施し、非圧縮状態の画像信号を生成する。
【００２９】
圧縮処理部３３は、デジタル信号処理部３２が作成した画像信号にＪＰＥＧ方式等の所定の圧縮方式に基づき圧縮し、所定のフォーマットの圧縮データを作成する。また逆に、圧縮処理部３３は、ＣＰＵ３１からの指示に応じて、所定のフォーマットに圧縮されたデータを解凍処理する作業も行う。
【００３０】
記録媒体制御器３４は、スマートメディア等の着脱可能な記録媒体４０と接続され、記録媒体４０との信号の伝達を行うインターフェースである。記録媒体制御器３４は、ＣＰＵ３１の指示に従い、記録媒体４０からのデータの読み出し、記録媒体４０へのデータの書き込み又は消去等を行う。
表示部３５は、画像信号の表示を行うモニターを有する。表示部３５は、例えば、デジタルカメラ１０の筐体の裏面に取り付けられており、ＣＰＵ３１からの指示に従い、記録媒体４０に書き込まれたデータがＲＡＭ３６に読み出され、表示部３５上のモニターに表示される。
【００３１】
モード設定部３７は、デジタルカメラ１０のボタンスイッチなどの操作部からなるもので、このモード設定部３７によって、表示部３５における表示の切り替え等が行われる。つまり、表示部３５には、モード設定部３７によって、撮像画像、撮像画像のヒストグラムあるいはこれらの両方が表示される。
【００３２】
ヒストグラム計算処理部３８は、デジタル信号処理部３２にて処理された画像信号あるいは記録媒体４０に記録されたデータである画像信号から、その画像の合成前の高感度デジタル信号及び低感度デジタル信号に基づき、それぞれの画像信号の信号強度を輝度毎に示す度数分布であるヒストグラムを計算する。計算された各ヒストグラムは、撮像された画像データとともに記録媒体４０に保存されるように構成されている。
【００３３】
次に、上記デジタルカメラにおける各モードでの処理について説明する。
［撮影モード］
まず、デジタルカメラ１０によって画像を撮影する場合のモードである撮影モードにおける処理ついて図４に示すフローチャート図に基づいて説明する。
【００３４】
まず、操作者は、デジタルカメラ１０のモード設定部３７を操作することにより、デジタルカメラ１０の表示部３５への表示のモードを設定する。
具体的には、撮影後に表示部３５に撮影した画像のヒストグラムを表示させるヒストグラムモードにするか（ステップＳ１）、撮影した画像を表示させる画像モードにするか（ステップＳ２）あるいは何も表示させない無表示モードにするか（ステップＳ２）を選択して設定する。
【００３５】
（ヒストグラム表示モード）
ヒストグラム表示モードでは、操作者が、デジタルカメラ１０に設けられたレリーズボタンを押下すると、レンズ１１を介して被写体からの光が集光されて撮像部１２に受光され、撮像部１２の主領域ｍ及び副領域ｓにて高感度信号Ｈ及び低感度信号Ｌの電気信号に変換され、増幅器１３にて増幅され、その後、Ａ／Ｄコンバータ１４により高感度デジタル信号Ｈａ及び低感度デジタル信号Ｌａに変換され、バスライン３０に送られる（ステップＳ３）。
【００３６】
高感度デジタル信号Ｈａ及び低感度デジタル信号Ｌａは、デジタル信号処理部３２のゲイン調整部４１及び階調補正部４２によってゲイン調整、階調補正され、さらに、合成処理部４３及びＹＣ処理部４４によって合成デジタル信号Ｓに生成され、画像信号の合成値に生成され、記録媒体制御器３４によって記録媒体４０に記録される。
そして、表示部３５には、まず、この画像信号に基づいて、撮影した画像が表示される（ステップＳ４）。
【００３７】
さらに、デジタル信号処理部３２のゲイン調整部４１及び階調補正部４２によってゲイン調整、階調補正された高感度デジタル信号Ｈｂ及び低感度デジタル信号Ｌｂから、ヒストグラム計算処理部３８によって画像のヒストグラムが計算される。
そして、表示部３５には、ヒストグラム計算処理部３８にて計算されたヒストグラムの計算データに基づいて、図５に示すように、主領域ｍのヒストグラム▲１▼及び副領域ｓのヒストグラム▲２▼が異なる色にて同時に重ねて表示される（ステップＳ５，６）。
【００３８】
ここで、表示部３５にて、それぞれのヒストグラム▲１▼、▲２▼が重なった部分は、半透明のレイヤーのように表示される。また、主領域ｍと副領域ｓとは、レンジが異なるため、一方のレンジに合わせてヒストグラムを表示させると、他方のヒストグラムが途中で途切れて正常に表示されなくなったり、あるいは見づらくなってしまう。このため、ここでは、これらレンジの異なるヒストグラム▲１▼、▲２▼を、それぞれ正規化して、同一画面に表示している。
なお、ヒストグラム▲１▼、▲２▼の表示の仕方としては、上記のように重ねて表示させる以外に、それぞれのヒストグラム▲１▼、▲２▼を、上下もしくは左右にそれぞれ並べて表示しても良い。
また、この表示部３５には、操作者の操作により、図６に示すように、これらヒストグラム▲１▼、▲２▼が合成された一つのヒストグラムとして表示することも可能とされている。
【００３９】
操作者は、表示部３５に表示された主領域ｍ及び副領域ｓのそれぞれのヒストグラム▲１▼、▲２▼を参照し、画像信号の合成値の調整を行うか否かを判断し（ステップＳ７）、合成値の調整を行う必要があると判断した場合は、デジタルカメラ１０の操作部にて操作して、合成値の調整を行う（ステップＳ８）。
【００４０】
このようにすると、表示部３５には、合成値の調整後の画像が表示され（ステップＳ９）、さらに、再び、主領域ｍ及び副領域ｓのヒストグラム▲１▼、▲２▼が表示され、操作者は、再びこれらヒストグラム▲１▼、▲２▼を参照することができる（ステップＳ５、６）。
そして、操作者が、合成値の調整を行う必要がないと判断し（ステップＳ７）、継続して撮影を行う場合は、再び、レリーズボタンを押下して撮影を行い、撮影を終了させる場合は、電源スイッチをＯＦＦする（ステップＳ１０）。
【００４１】
（画像表示モード）
画像表示モードが選択された場合には、操作者がデジタルカメラ１０に設けられたレリーズボタンを押下すると、レンズ１１を介して被写体からの光が集光されて撮像部１２に受光され、撮像部１２の主領域ｍ及び副領域ｓにて高感度信号Ｈおよび低感度信号Ｌの電気信号に変換される。高感度信号Ｈおよび低感度信号Ｌは、増幅器１３にて増幅され、その後Ａ／Ｄコンバータ１４により高感度デジタル信号Ｈａ及び低感度デジタル信号Ｌａに変換され、バスライン３０に送られる。
【００４２】
高感度デジタル信号Ｈａ及び低感度デジタル信号Ｌａは、デジタル信号処理部３２のゲイン調整部４１及び階調補正部４２によってゲイン調整、階調補正がなされ、さらに、合成処理部４３及びＹＣ処理部４４によって合成およびＹＣ処理がなされる。
そして、表示部３５には、この画像信号に基づく撮影画像が表示される。
【００４３】
操作者は、表示部３５に表示された画像を参照し、画像信号の合成値の調整を行うか否かを判断し（ステップＳ１１）、合成値の調整を行う必要があると判断した場合は、デジタルカメラ１０の操作部にて操作して、合成値の調整を行う（ステップＳ１２）。
このようにすると、表示部３５には、合成値の調整後の画像が表示され（ステップＳ１３）、操作者は、表示された画像を参照することができる。
そして、操作者が、合成値の調整を行う必要がないと判断し（ステップＳ１１）、継続して撮影を行う場合は、再び、レリーズボタンを押下して撮影を行い、撮影を終了させる場合は、電源スイッチをＯＦＦする（ステップＳ１４）。
【００４４】
（無表示モード）
操作者が、デジタルカメラ１０に設けられたレリーズボタンを押下すると、レンズ１１を介して被写体からの光が集光されて撮像部１２に受光され、撮像部１２の主領域ｍ及び副領域ｓにて高感度信号Ｈ及び低感度信号Ｌの電気信号に変換され、増幅器１３にて増幅され、その後、Ａ／Ｄコンバータ１４により高感度デジタル信号Ｈａ及び低感度デジタル信号Ｌａに変換され、バスライン３０に送られる（ステップＳ３）。
【００４５】
高感度デジタル信号Ｈａ及び低感度デジタル信号Ｌａは、デジタル信号処理部３２のゲイン調整部４１及び階調補正部４２によってゲイン調整、階調補正され、さらに、合成処理部４３及びＹＣ処理部４４によって合成デジタル信号Ｓに生成され、画像信号の合成値に生成される。
なお、このモードでは、表示部３５には、何も表示されることがなく、したがって、その後、操作者は、継続して撮影を行う場合は、再び、レリーズボタンを押下して撮影を行い、撮影を終了させる場合は、電源スイッチをＯＦＦする（ステップＳ１５）。
【００４６】
［再生モード］
次に、デジタルカメラ１０によって画像を再生する場合のモードである再生モードにおける処理ついて図７に示すフローチャート図を参照して説明する。
【００４７】
操作者が、デジタルカメラ１０の操作部を操作して、再生モードに設定すると、記憶媒体４０から記録媒体制御器３４によって既に撮影されて記録されたデータである画像信号が引き出され、この画像信号に基づく画像が表示部３５に表示される（ステップＳ１６）。
ここで、操作者は、表示部３５に表示された画像を参照し、この画像のヒストグラム▲１▼、▲２▼を表示させるか否かを判断する（ステップＳ１７）。
操作者が、ヒストグラム▲１▼、▲２▼を表示させるべく、操作部を操作すると、表示部３５には、引き出した画像信号の主領域ｍ及び副領域ｓのヒストグラム▲１▼、▲２▼が異なる色にて同時に重ねて表示される（ステップＳ１８、Ｓ１９）。
【００４８】
操作者は、表示部３５に表示された主領域ｍ及び副領域ｓのそれぞれのヒストグラム▲１▼、▲２▼を参照し、画像信号の合成値の調整を行うか否かを判断し（ステップＳ２０）、合成値の調整を行う必要があると判断した場合は、デジタルカメラ１０の操作部にて操作して、合成値の調整を行う（ステップＳ２１）。
このようにすると、表示部３５には、合成値の調整後の画像が表示される（ステップＳ２２）。
【００４９】
ここで、操作者が、表示部３５に表示された画像のヒストグラム▲１▼、▲２▼を再び表示させたい場合は、デジタルカメラ１０の操作部を操作する。このようにすると、表示部３５には、合成値を調整した画像の主領域ｍ及び副領域ｓのヒストグラム▲１▼、▲２▼が再び表示され（ステップＳ１８、Ｓ１９）、これらヒストグラム▲１▼、▲２▼を参照して、再度合成値の調整の必要性の有無を判断することができる（ステップＳ２０）。
【００５０】
合成値の調整を行わないと判断し（ステップＳ２０）、継続して他の画像信号の再生を行う場合は、操作部を操作して他の画像信号を引き出して上記の操作を行い、再生を終了させる場合は、操作部を操作して再生モードを終了させる（ステップＳ２３）。なお、他の画像信号の再生あるいは再生モードの終了により、合成値が調整された画像信号が記録媒体制御器３４によって記録媒体４０に記録される。
【００５１】
また、上記再生モードでは、ヒストグラム▲１▼、▲２▼を参照することなく（ステップＳ１７）、表示部３５に表示された画像だけを参照して合成値の調整の有無を判断する（ステップＳ２０）こともできる。
【００５２】
このように、上記デジタルカメラからなる撮像装置によれば、感度の異なる主領域ｍ及び副領域ｓの画像信号に基づくそれぞれのヒストグラムが同時に表示されるので、操作者は、これらヒストグラムを容易に参照して撮影した画像の状態を把握することができる。そして、操作者は、表示されたそれぞれのヒストグラムから撮り直しや画像信号の補正処理を調整して画像を良好に修正することができる。
また、撮像装置における表示方法によれば、操作者の選択により、撮影した画像信号または記憶部４０に記憶された画像信号に基づいて、その画像信号の主領域ｍ及び副領域ｓのそれぞれについてヒストグラムが算出され、これらヒストグラムが表示部４０へ同時に表示させるので、操作者は、極めて容易に主領域ｍ及び副領域ｓのそれぞれのヒストグラムを参照して、撮影した画像の状態を把握して、撮り直しや画像信号の補正処理の調整を行うことができる。
【００５３】
なお、上記の例では、撮像装置として、静止画像を撮影するいわゆるデジタルカメラを例にとって説明したが、本発明は、デジタルビデオカメラからなる撮像装置にも適応可能である。
【００５４】
【発明の効果】
本発明の撮像装置及び撮像装置によれば、感度の異なる主領域及び副領域の画像信号に基づくそれぞれのヒストグラムが同時に表示されるので、操作者は、これらヒストグラムを容易に参照して撮影した画像の状態を把握することができる。そして、操作者は、表示されたそれぞれのヒストグラムから撮り直しや画像信号の補正処理を調整して画像を良好に修正することができる。
また、本発明の撮像装置における表示方法によれば、操作者の選択により、撮影した画像信号または記憶された画像信号に基づいて、その画像信号の主領域及び副領域のそれぞれについてヒストグラムが算出され、これらヒストグラムが表示部へ同時に表示させるので、操作者は、極めて容易に主領域及び副領域のそれぞれのヒストグラムを参照して、撮影した画像の状態を把握して、撮り直しや画像信号の補正処理の調整を行うことができる。
【図面の簡単な説明】
【図１】本発明の実施形態の撮像装置の構成を説明する機能ブロック図である。
【図２】撮像素子の概略構造を説明する撮像素子の平面図である。
【図３】撮像装置を構成するデジタル信号処理部の構成を説明する機能ブロック図である。
【図４】撮像装置における撮影モードでの表示の仕方を説明するフローチャート図である。
【図５】撮像装置の表示部に表示されるヒストグラムを示す図である。
【図６】撮像装置の表示部に表示されるヒストグラムを示す図である。
【図７】撮像装置における再生モードでの表示の仕方を説明するフローチャート図である。
【符号の説明】
１０  デジタルカメラ（撮像装置）
１２  撮像部
２２  受光素子
３２  デジタル信号処理部（信号処理部）
３５  表示部
３８  ヒストグラム計算処理部
ｍ  主領域
ｓ  副領域
【図１】
2004297614.tif 000003
【図２】
2004297614.tif 000004
【図３】
2004297614.tif 000005
【図４】
2004297614.tif 000006
【図５】
2004297614.tif 000007
【図６】
2004297614.tif 000008
【図７】
2004297614.tif 000009